(57)【特許請求の範囲】
【請求項１】
（ａ）テープロールを支持するためのテープロール支持手段と、
（ｂ）テープロールから前方に繰り出された片面粘着テープに側方から接触して片面粘着テープの側端部を粘着面側に起立させる板状の起立手段と、
（ｃ）側端部が起立した片面粘着テープに非粘着面側から接触して非粘着面側に反らせることにより、起立した側端部を粘着面側に倒伏させる柱状の倒伏手段と、
（ｄ）側端部が倒伏して剥がししろとなる非粘着部が形成された片面粘着テープを切断するための切断手段とを備え、
起立手段が片面粘着テープの幅方向に対して垂直となるように配され、倒伏手段が片面粘着テープの幅方向に対して平行となるように配されるとともに、
倒伏手段における片面粘着テープが導入される側の周面が円柱面状に形成され、倒伏手段における片面粘着テープが導出される側の周面に角部が形成されたことを特徴とする粘着テープ切断装置。
【請求項２】
起立手段の前後方向に亘る長さが１０〜１００ｍｍに設定され、起立手段の上下方向に亘る長さが１０〜１００ｍｍに設定された請求項１記載の粘着テープ切断装置。
【請求項３】
起立手段が倒伏手段の端部に固定されて、起立手段と倒伏手段とが一体化された請求項１記載の粘着テープ切断装置。
【請求項４】
テープロール支持手段が、テープロールの外周部を前方から支持するための第一テープロール支持手段と、テープロールの外周部を下方から支持するための第二テープロール支持手段とで構成された請求項１記載の粘着テープ切断装置。
【請求項５】
第一テープロール支持手段が、テープロールの幅方向に平行に配された円柱状のものとされ、テープロールを幅方向に位置決めするための一対のフランジが、第一テープロール支持手段の両端部に設けられた請求項４記載の粘着テープ切断装置。
【発明の詳細な説明】
【技術分野】
【０００１】
本発明は、テープロールから繰り出された片面粘着テープを切断するための粘着テープ切断装置に関する。
【背景技術】
【０００２】
コンビニエンスストアやスーパーマーケットなどに足を運ぶと、樹脂製の包装容器で包装された様々な食品を目にすることができる。これらの包装容器は、片面粘着テープを用いて封をされていることが多く、開封者は、その片面粘着テープを剥がすのに苦労することがある。このような実状に鑑みてか、テープロールから繰り出された片面粘着テープの側端部を粘着面側に折り返してから片面粘着テープを切断するようにした粘着テープ切断装置が既に提案されている（例えば、特許文献１と特許文献２を参照）。片面粘着テープの折り返された側端部は、包装容器などの貼付対象物に貼り付かないために、片面粘着テープを剥がす際の手掛かり（剥がししろ）として利用することができる。
【０００３】
特許文献１や特許文献２の粘着テープ切断装置のように、切断する片面粘着テープに剥がししろとなる非粘着部を形成することのできる粘着テープ切断装置は、近年、その需要を着実に伸ばしつつあるが、以下のような欠点を有していた。すなわち、これらの粘着テープ切断装置では、テープロールから繰り出された片面粘着テープが弛むと、片面粘着テープの側端部を折り返すための機構から片面粘着テープが脱落して、片面粘着テープの側端部が折り返されなかったり、折り返された部分（非粘着部）の幅が不均一になるおそれがあった。また、片面粘着テープの側端部を折り返すための機構が複雑で部品点数が多いために、粘着テープ切断装置の製造コストを削減しにくいだけでなく、使用時に故障しやすいという欠点もあった。
【０００４】
【特許文献１】特許第３５４９５１２号公報（特許請求の範囲、図１）
【特許文献２】特開２００３−２０６０６７号公報（特許請求の範囲、図４）
【発明の開示】
【発明が解決しようとする課題】
【０００５】
本発明は、上記課題を解決するためになされたものであり、テープロールから繰り出された片面粘着テープが弛んだ場合であっても、片面粘着テープの側端部を折り返すための機構から片面粘着テープが脱落せず、片面粘着テープの側端部が折り返されなかったり、折り返された部分の幅が不均一になるのを防止することのできる粘着テープ切断装置を部材の少ない簡単な構造で安価に提供するものである。
【課題を解決するための手段】
【０００６】
上記課題は、（ａ）テープロールを支持するためのテープロール支持手段と、（ｂ）テープロールから前方に繰り出された片面粘着テープに側方から接触して片面粘着テープの側端部を粘着面側に起立させる板状の起立手段と、（ｃ）側端部が起立した片面粘着テープに非粘着面側から接触して非粘着面側に反らせることにより、起立した側端部を粘着面側に倒伏させる柱状の倒伏手段と、（ｄ）側端部が倒伏して剥がししろとなる非粘着部が形成された片面粘着テープを切断するための切断手段とを備え、起立手段が片面粘着テープの幅方向に対して垂直となるように配され、倒伏手段が片面粘着テープの幅方向に対して平行となるように配されたことを特徴とする粘着テープ切断装置を提供することによって解決される。これにより、片面粘着テープが起立手段から脱落するのを防止して、片面粘着テープの側端部を均等に折り返すことが可能になる。
【０００７】
起立手段の前後方向に亘る長さは、とくに限定されないが、短すぎると、片面粘着テープが起立手段から脱落しやすくなるおそれがある。このため、起立手段の前後方向に亘る長さは、通常、１０〜１００ｍｍに設定される。一方、起立手段の前後方向に亘る長さが長すぎると、粘着テープ切断装置の寸法が大きくなりすぎるおそれがある。このため、起立手段の前後方向に亘る長さも、通常、１０〜１００ｍｍに設定される。
【０００８】
また、起立手段の上下方向に亘る長さも、とくに限定されないが、短すぎると、片面粘着テープが起立手段から脱落しやすくなるおそれがある。このため、起立手段の上下方向に亘る長さは、通常、１０〜１００ｍｍに設定される。一方、起立手段の上下方向に亘る長さが長すぎると、粘着テープ切断装置の寸法が大きくなりすぎるおそれがある。このため、起立手段の上下方向に亘る長さも、通常、１０〜１００ｍｍに設定される。
【０００９】
このとき、起立手段と倒伏手段は、離れて配置されていてもよいが、起立手段が倒伏手段の端部に固定されて、起立手段と倒伏手段とが一体化されていると好ましい。これにより、片面粘着テープの側端部を折り返すための機構を簡素化することが容易になる。
【００１０】
また、倒伏手段における片面粘着テープが導入される側の周面が円柱面状に形成され、倒伏手段における片面粘着テープが導出される側の周面に角部が形成されていると好ましい。これにより、倒伏手段に片面粘着テープを円滑に導入して、片面粘着テープに皺が形成されるのを防止するだけでなく、倒伏手段から導出される片面粘着テープを急激に反らせて、片面粘着テープの側端部をより確実に倒伏させることが可能になる。
【００１１】
さらに、テープロール支持手段は、その形態をとくに限定されず、リール状のものなどであってもよいが、テープロールの外周部を前方から支持するための第一テープロール支持手段と、テープロールの外周部を下方から支持するための第二テープロール支持手段とで構成されていると好ましい。これにより、片面粘着テープにかかる張力が急激に変化した場合であっても、テープロールから繰り出される片面粘着テープの高さのバラツキを抑えることが可能になる。したがって、片面粘着テープが起立手段からさらに脱落しにくいようにすることもできる。
【発明の効果】
【００１２】
以上のように、本発明の粘着テープ切断装置によって、テープロールから繰り出された片面粘着テープが弛んだ場合であっても、片面粘着テープの側端部を折り返すための機構から片面粘着テープが脱落せず、片面粘着テープの側端部が折り返されなかったり、折り返された部分の幅が不均一になるのを防止することのできる粘着テープ切断装置を提供することが可能になる。
【発明を実施するための最良の形態】
【００１３】
本発明の粘着テープ切断装置を、図面を用いてより具体的に説明する。図１は、本発明の粘着テープ切断装置１００を示した斜視図である。図２は、図１に示す粘着テープ切断装置から一方の側板１５１を取り外した状態を示した側面図である。図３は、側端部が折り返されて剥がししろとなる非粘着部が形成された片面粘着テープ２１０をその長手方向に垂直な面で切断した状態を示した断面図である。図４は、図１の粘着テープ切断装置１００における起立手段１２０と倒伏手段１３０とを示した斜視図である。図５は、図１の粘着テープ切断装置１００における倒伏手段１３０に他の実施態様の起立手段１２０を固定した状態を示した斜視図である。図６は、図１の粘着テープ切断装置１００における起立手段１２０及び倒伏手段１３０の周辺を拡大した拡大図である。
【００１４】
１．粘着テープ切断装置の概要
本発明の粘着テープ切断装置１００は、図１と図２に示すように、テープロール２００を支持するためのテープロール支持手段１１０と、テープロール２００から前方に繰り出された片面粘着テープ２１０に側方から接触して片面粘着テープ２１０の側端部を粘着面側に起立させる起立手段１２０と、側端部が起立した片面粘着テープ２１０に非粘着面側から接触して非粘着面側に反らせることによって起立した側端部を粘着面側に倒伏させる倒伏手段１３０と、側端部が倒伏して剥がししろとなる非粘着部が形成された片面粘着テープ２１０を切断するための切断手段１４０とを備えたものとなっている。
【００１５】
本実施態様の粘着テープ切断装置１００において、テープロール支持手段１１０と、起立手段１２０と、倒伏手段１３０と、切断手段１４０は、平行に設けられた一対の側板１５０，１５１の隙間に収容されている。側板１５０，１５１は、図２に示すように、棒状の連結材１６０を介して複数箇所でネジ留めされている。このため、粘着テープ切断装置１００は、簡素で頑丈な構造となっている。
【００１６】
２．テープロール支持手段
本実施態様の粘着テープ切断装置１００において、テープロール支持手段１１０は、テープロール２００の外周部を前方から支持するための第一テープロール支持手段１１１と、テープロール２００の外周部を下方から支持するための第二テープロール支持手段１１２とで構成されている。テープロール２００は、前方に繰り出された片面粘着テープ２１０の粘着面が下方を向くように配される。テープロール２００に巻装されている片面粘着テープ２１０は、第一テープロール支持手段１１１の下方から前方へと繰り出される。
【００１７】
第一テープロール支持手段１１１と第二テープロール支持手段１１２の配置は、テープロール２００の外径などによっても異なり、とくに限定されない。テープロール２００の外径が１００ｍｍ程度である場合には、通常、第一テープロール支持手段１１１と第二テープロール支持手段１１２との間隔が８０〜９０ｍｍになり、第一テープロール支持手段１１１が第二テープロール支持手段１１２よりも３０〜５０ｍｍ高くなるように配される。これにより、テープロール２００をテープロール支持手段１１０により安定して支持させることができるようになる。
【００１８】
第一テープロール支持手段１１１と第二テープロール支持手段１１２の形態も、とくに限定されないが、本実施態様の粘着テープ切断装置１００においては、いずれも円柱状のものとなっている。第二テープロール支持手段１１２は、連結材１６０を兼ねており、粘着テープ切断装置１００は、さらに簡素な構造となっている。
【００１９】
また、第一テープロール支持手段１１１の両端部には、一対のフランジが設けられている。一対のフランジの間隔は、テープロール２００の幅に略一致しており、テープロール２００を一対のフランジで挟み込むことができるようになっている。このため、テープロール２００を左右方向に高い精度で位置決めして、テープロール２００から繰り出された片面粘着テープ２１０の側端部を均等に折り返すことができるようになっている。
【００２０】
さらに、本実施態様の粘着テープ切断装置１００において、第一テープロール支持手段１１１と第二テープロール支持手段１１２は、側板１５０，１５１に対して回転しないように固定されているが、側板１５０，１５１に対して回転するようにしてもよい。これにより、テープロール２００が第一テープロール支持手段１１１及び第二テープロール支持手段１１２から受ける摩擦力を軽減して、テープロール２００から片面粘着テープ２１０を円滑に繰り出すことができるようになる。
【００２１】
テープロール支持手段１１０を上記のような構造とすることによって、片面粘着テープ２１０を乱暴に引っ張った場合や、テープロール２００の外径が当初よりも小さくなった場合などであっても、 片面粘着テープ２１０は、常に第一テープロール支持手段１１１の下方から繰り出されるようになる。このため、テープロール２００から繰り出される粘着テープ２１０の高さのバラツキを抑えることが可能になる。このテープロール支持手段１１０は、起立手段１２０や倒伏手段１３０として後述する形態のものを採用する場合にとくに好適に使用することができる。
【００２２】
３．起立手段
本実施態様の粘着テープ切断装置１００において、起立手段１２０は、板状に形成されている。起立手段１２０は、その板面が片面粘着テープ２１０の幅方向に対して垂直となるように配されており、その板面が片面粘着テープ２１０に側方から接触するようになっている。起立手段１２０は、図４に示すように、倒伏手段１３０の一端部に固定されており、倒伏手段１３０と一体化されている。本実施態様の粘着テープ切断装置１００において、起立手段１２０の側面視形状は、略矩形となっているが、これに限定されず、例えば図５に示すように、起立手段１２０の後方の角部を丸く形成することも好ましい。これにより、片面粘着テープ２１０が起立手段１２０によって傷つくのを防止することも可能になる。
【００２３】
テープロール２００から前方に繰り出された片面粘着テープ２１０は、この起立手段１２０によって幅を規制され、側端部が粘着面側に起立させられる。本実施態様の粘着テープ切断装置１００において、起立手段１２０は、片面粘着テープ２１０の片側のみに設けられており、片面粘着テープ２１０は、一方の側端部のみが折り返されるようになっている。しかし、片面粘着テープ２１０の両方の側端部を折り返したい場合には、起立手段１２０を片面粘着テープ２１０の両側に設けてもよい。
【００２４】
起立手段１２０の前後方向に亘る長さＬ１（図２を参照）は、通常、１０〜１００ｍｍに設定される。しかし、起立手段１２０の前後方向に亘る長さＬ１が短すぎると、片面粘着テープ２１０が起立手段１２０から脱落しやすくなるおそれがある。このため、起立手段１２０の前後方向に亘る長さＬ１は、２０ｍｍ以上であると好ましく、３０ｍｍ以上であるとより好ましい。一方、起立手段１２０の前後方向に亘る長さＬ１が長すぎると、粘着テープ切断装置１００の寸法が大きくなりすぎるおそれがある。このため、起立手段１２０の前後方向に亘る長さＬ１は、７０ｍｍ以下であると好ましく、５０ｍｍ以下であるとより好ましい。本実施態様の粘着テープ切断装置１００において、起立手段１２０の前後方向に亘る長さＬ１は、３７ｍｍに設定されている。
【００２５】
また、起立手段１２０の上下方向に亘る長さＬ２（図２を参照）は、通常、１０〜１００ｍｍに設定される。しかし、起立手段１２０の上下方向に亘る長さＬ２が短すぎると、片面粘着テープ２１０が起立手段１２０から脱落しやすくなるおそれがある。このため、起立手段１２０の上下方向に亘る長さＬ２は、１５ｍｍ以上であると好ましく、２０ｍｍ以上であるとより好ましい。一方、起立手段１２０の上下方向に亘る長さＬ２が長すぎると、粘着テープ切断装置１００の寸法が大きくなりすぎるおそれがある。このため、起立手段１２０の上下方向に亘る長さＬ２は、６０ｍｍ以下であると好ましく、４０ｍｍ以下であるとより好ましい。本実施態様の粘着テープ切断装置１００において、起立手段１２０の上下方向に亘る長さＬ２は、２２ｍｍに設定されている。
【００２６】
４．倒伏手段
本実施態様の粘着テープ切断装置１００において、倒伏手段１３０は、図４に示すように、柱状に形成されたものとなっている。倒伏手段１３０の後側（片面粘着テープ２１０が導入される側）の周面は、片面粘着テープ２１０を円滑に案内できるように円柱面状に形成されている。一方、倒伏手段１３０の前側（片面粘着テープ２１０が導出される側）の周面には、片面粘着テープ２１０を粘着面側に大きく反らせることができるように角部が形成されている。
【００２７】
起立手段１２０によって側端部が起立した片面粘着テープ２１０は、倒伏手段１３０の下方を通る際に、その非粘着面を倒伏手段１３０の下側の周面で押されて、非粘着面側に反った状態となる。この際、片面粘着テープ２１０の起立していた側端部は、非粘着面側に倒伏して折り返される。このようにして、片面粘着テープ２１０に剥がししろとなる非粘着部が形成される。
【００２８】
５．切断手段
側端部が倒伏した片面粘着テープ２１０は、切断手段１４０によって切断される。切断手段１５０は、片面粘着テープ２１０を幅方向に切断することができる形態のものであればとくに限定されず、従来より用いられている各種のものを使用することができる。本実施態様の粘着テープ切断装置１００においては、鋸歯状の刃を切断手段１４０として用いている。
【００２９】
６．粘着テープ切断装置の用途
本発明の粘着テープ切断装置は、その用途をとくに限定されず、様々な目的で使用することができる。なかでも、卓上用の粘着テープ切断装置として好適に使用することができる。例えば、サラダなどの食品を包装する樹脂製の包装容器に片面粘着テープで封をする場合などに好適に使用することができる。
【図面の簡単な説明】
【００３０】
【図１】本発明の粘着テープ切断装置を示した斜視図である。
【図２】図１に示す粘着テープ切断装置から一方の側板を取り外した状態を示した側面図である。
【図３】側端部が折り返されて剥がししろとなる非粘着部が形成された片面粘着テープをその長手方向に垂直な面で切断した状態を示した断面図である。
【図４】図１の粘着テープ切断装置における起立手段と倒伏手段とを示した斜視図である。
【図５】図１の粘着テープ切断装置における倒伏手段に他の実施態様の起立手段を固定した状態を示した斜視図である。
【図６】図１の粘着テープ切断装置における起立手段及び倒伏手段の周辺を拡大した拡大図である。
【符号の説明】
【００３１】
１００  粘着テープ切断装置
１１０  テープロール支持手段
１１１  第一テープロール支持手段
１１２  第二テープロール支持手段
１２０  起立手段
１３０  倒伏手段
１４０  切断手段
１５０  側板
１５１  側板
１６０  連結材
２００  テープロール
２１０  片面粘着テープ
Ｌ１  起立手段の前後方向に亘る長さ
Ｌ２  起立手段の上下方向に亘る長さ
【図１】
0004738246.tif 000002
【図２】
0004738246.tif 000003
【図３】
0004738246.tif 000004
【図４】
0004738246.tif 000005
【図５】
0004738246.tif 000006
【図６】
0004738246.tif 000007